(57)【要約】【課題】  優れた消臭性及び除菌性を長期間維持できる男性用の非水洗型小便器を提供すること。【解決手段】  便器本体の排出口４から排出される液体を受け止める排出トラップ７のケース８内に排出管１０を配置し、ケース８と排出管１０の間に内装管９を配置した。そして、ケース８と内装管９の間に形成された第１空間部１２に、尿などの液体からなる液体層１４と、液体層１４の上層に位置づけられ、尿などの臭い成分を分解するとともに除菌性を有するオゾン化油からなる消臭層１５とを設けた。これにより、排出口４から排出された尿の臭い成分は消臭層１５のオゾンガスで分解され、強力な消臭効果を発揮させることができる。また、オゾンガスのケース８外への放出で、便器本体の除菌も可能になる。【選択図】  図２
0003150343.tif 000002
【実用新案登録請求の範囲】
【請求項１】
鉢部と、前記鉢部と連続して形成された垂れ受け部と、液体を排出可能な排出口とを有する便器本体と、
前記便器本体に取り付けられ、前記排出口に流れこんだ液体を受ける排出トラップとを備えた非水洗型小便器において、
前記排出トラップは、
前記排出口から排出された第１の液体を一時的に貯留するケースと、
前記ケースの内部に配置され、前記第１の液体を排出トラップから排出する排出路と、
前記ケースと前記排出路の間に配置される内装体と、
前記ケースと前記内装体との間に形成された第１空間部と、
前記内装体と前記排出路との間に形成された第２空間部と、
前記内装体の下端部と前記ケースの底面との間に設けられ、前記第１空間部と第２空間部とを連通する間隙部と、
前記第１空間部において、前記第１の液体からなる液体層と、前記液体層の上層に位置づけられ、前記第１の液体の臭い成分を分解するとともに除菌性を有する第２の液体からなる消臭層とを備えたことを特徴とする非水洗型小便器。
【請求項２】
前記第２の液体は、オゾン化油であることを特徴とする請求項１記載の非水洗型小便器。
【請求項３】
前記オゾン化油に含まれるオゾンガスの気泡の直径が１μｍ未満であることを特徴とする請求項２記載の非水洗型小便器。
【考案の詳細な説明】
【技術分野】
【０００１】
本考案は、男性用の非水洗型小便器に関し、さらに詳しくは、消臭効果を向上させるとともに、便器を衛生的に維持することが可能な男性用の非水洗型小便器に関する。
【背景技術】
【０００２】
オフィスビルや百貨店などの施設には、男性用トイレに小便器が設置されている。これら小便器には、人が用を足した後に水を流して小便器内を洗浄する水洗型小便器が用いられていることが多い。水洗型小便器は、人が用を足した後に小便器内へ水を流すことにより、付着した尿などを洗い流すように構成されている。
しかし、水洗型小便器を用いた場合には、人が用を足す毎に水を流すことが必要になるため、人の出入りが大きい施設になればなるほどトイレの使用頻度が上がり大量の水が必要になる。一方、一般に水は排水前と排水後に浄化処理を行う必要があり、この浄化処理を行う際には二酸化炭素（ＣＯ２）が大気中に排出されることになるため、浄化処理する水の量の増加は、浄化処理時に大量の二酸化炭素を発生させる原因にもなる。
また、近年は地球温暖化を防止するために二酸化炭素の排出量を削減することが重要視されている。このような観点から、近年は二酸化炭素の排出量を削減できるとして、人が用を足した後に水を流さない非水洗型小便器が注目されつつある。
【０００３】
従来、非水洗型小便器は、貯留された尿からアンモニア臭などの悪臭が発生したり、一時的であっても多くの人が排泄した尿を貯留しておくことから衛生的でない等の問題があった。従来は、貯留した尿の表面に油の膜を張って油層を設けることで、このような問題点を解決していた。
【０００４】
例えば、非特許文献１の非水洗型小便器は、便器本体に設けられている排出口の下方に尿などを一時的に貯留する排出トラップを設け、水と、水よりも比重の軽い油を予め排出トラップ内に貯留しておく非水洗型小便器が開示されている。この小便器は、尿が油と溶解せず、かつ油よりも比重が大きいことを利用したもので、排出トラップ内に流れ込んだ尿が油層を通過させて下方に流れ落ちるようにして、尿の上層には常に油層が位置するようにしたものである。この油層を設けることによって、尿の臭い成分が排出トラップ外へ放出されるのを防止し、従来の問題であった悪臭の発生を防止することができる。
【先行技術文献】
【非特許文献】
【０００５】
【非特許文献１】ウリダン水無し小便器（ｕｒｉｄａｎ  ｎｏｎ  ｗａｔｅｒ  ｓｙｓｔｅｍ）[online]、[平成２１年２月１９日検索]、インターネット＜ＵＲＬ  http://www.mx2denmark.dk/side6587-cid-6110.html＞
【考案の概要】
【考案が解決しようとする課題】
【０００６】
しかしながら、非特許文献１の便器は、油と尿の比重差を利用して油層の下層に尿が流れ落ちるようにし、尿の臭い成分が排出トラップ外へ放出されるのを油層で防止するものであるから、時間の経過に伴って油が腐敗等すると臭い成分を油層で抑えきれなくなり、消臭効果が低減するという問題がある。
【０００７】
本考案は、上記のような課題を解決するためになされたもので、長期間にわたり消臭効果を維持でき、かつ除菌力のある男性用の非水洗型小便器を提供することを目的とする。
また、本考案は、油層の油にオゾン化油を用いることにより、非水洗型小便器及びそれに連なる下水管からの臭気の立ち上りと雑菌の繁殖を防止することを目的とする。
【課題を解決するための手段】
【０００８】
本考案は、
（１）鉢部と、前記鉢部と連続して形成された垂れ受け部と、液体を排出可能な排出口とを有する便器本体と、前記便器本体に取り付けられ、前記排出口に流れこんだ液体を受ける排出トラップとを備えた非水洗型小便器において、前記排出トラップは、前記排出口から排出された第１の液体を一時的に貯留するケースと、前記ケースの内部に配置され、前記第１の液体を排出トラップから排出する排出路と、前記ケースと前記排出路の間に配置される内装体と、前記ケースと前記内装体との間に形成された第１空間部と、前記内装体と前記排出路との間に形成された第２空間部と、前記内装体の下端部と前記ケースの底面との間に設けられ、前記第１空間部と第２空間部とを連通する間隙部と、前記第１空間部において、前記第１の液体からなる液体層と、前記液体層の上層に位置づけられ、前記第１の液体の臭い成分を分解するとともに除菌性を有する第２の液体からなる消臭層とを備えたことを特徴とする非水洗型小便器、
（２）前記第２の液体は、オゾン化油であることを特徴とする請求項１記載の非水洗型小便器、
（３）前記オゾン化油に含まれるオゾンガスの気泡の直径が１μｍ未満であることを特徴とする請求項２記載の非水洗型小便器、
を要旨とする。
【考案の効果】
【０００９】
本考案によれば、排出トラップの第１空間部に消臭層を設けることにより、下水管からの臭気の立ち上がりを防止できるだけでなく、尿などの液体から発生する臭い成分を消臭層で分解することができるので、消臭効果を大幅に向上させることが可能になる。また、消臭層に用いる第２の液体にオゾン化油を用いることにより、より優れた消臭効果を発揮させることが可能になる。
また、オゾン化油に混合されたオゾンガスが時間の経過に伴って徐々に排出トラップ外へ放出されるので、鉢部や垂れ受け部などのような尿と直接触れて不衛生になりがちな箇所を効果的に除菌することができ、衛生的な状態を維持することが可能になる。また、オゾン化油から徐々に放出されるオゾンガスは、拡散及び沈降する速度が遅いので、非水洗型小便器周囲の雰囲気の除菌や消臭も行うことが可能になる。さらに、オゾンガスは比重が空気よりも大きいため、放出されたオゾンガスはやがて降下して非水洗型小便器周辺の床面などに到達するので、床面などにおける除菌や消臭を行うことも可能になる。したがって、非水洗型小便器の表面のみならず、より広範囲の除菌や消臭が可能になる。
また、オゾンガスは、有機物との接触により或いは自然に、徐々に分解して酸素になるため、環境に悪影響を与えずに、除菌や消臭を行うことが可能になる。
また、オゾン化油に含まれるオゾンガスの気泡の直径を１μｍ未満にすることで、オゾン化油中にオゾンガスを長期間混合させておくことができ、オゾンによる強力な消臭能力や除菌能力を長期間持続させ、消臭効果や衛生面においてさらに優れた非水洗型小便器を提供することが可能になる。
【図面の簡単な説明】
【００１０】
【図１】本考案に係る実施の形態である非水洗型小便器を表す側面図である。
【図２】非水洗型小便器の排出トラップ部分の構成を部分的に拡大して表す部分拡大図である。
【考案を実施するための形態】
【００１１】
本考案の非水洗型小便器の一形態について、図１及び図２に基づいて説明する。図１は、本考案に係る実施の形態である非水洗型小便器を表す全体図、図２は、非水洗型小便器の排出トラップ部分の構成を部分的に拡大して表す部分拡大図である。
【００１２】
非水洗型小便器１は、垂直方向に延びるように形成された鉢部２と、垂れ受け部３からなる便器本体を備えている。垂れ受け部３は、鉢部２の下部から連続して形成されており、水平方向に延びるように形成されている。垂れ受け部３は、外周縁に対して中央部が窪んだ底部３ａとなるような曲面を描くように形成されている。底部３ａには、鉢部２や垂れ受け部３を伝って流れ落ちてくる尿などの液体を排出可能な排出口４が設けられており、この排出口４の周縁部には略垂直方向に延出する延出部５が形成されている。
【００１３】
排出口４には、円柱形状をなした蓋体６が嵌め込まれている。この蓋体６は、排出口４へ嵌め込むことが可能であって、かつ延出部５と係止できるような大きさに形成されており、蓋体６が延出部５よりも下方へ落ちないような構造になっている。
【００１４】
蓋体６は、上面６ａが平面状に形成され、円周面には、径方向内側へ窪む複数の切り欠き部６ｂが一定の間隔を開けて形成されている。また、蓋体６の円周面は、延出部５との間でほとんど隙間がなく、切り欠き部６ｂが形成されている部分は、延出部５との間で大きな隙間を有するように形成されている。したがって、蓋体６と延出部５とは、図２において底部３ａを上面側から見た場合には、切り欠き部６ｂを形成した部分だけが孔部となり、他の部分は延出部５と蓋体６の円周面との間にほとんど隙間を有しない状態で嵌め込まれている。また、蓋体６には、排出口４内へ嵌め込まれた際に、後述する排出管１０の先端部との間に空間を形成するための凹部６ｃが裏面側に形成されている。
【００１５】
延出部５の下方には、排出トラップ７が適宜方法により取り付けられている。この排出トラップ７は、ケース８、内装管（内装体）９、排出管（排出路）１０を備えている。ケース８は、排出口４から排出された尿などの液体（第１の液体）を一時的に貯留できるスペースを有する、上面が開口した円筒形の容器であり、下部には排水管取付部１１を有している。このケース８は、内径が延出部５の外径と略同一又は若干大きく形成されており、適宜方法によって延出部５へ取り付けられるようになっている。
【００１６】
排水管取付部１１は、ケース８の下部に形成されており、外観上は、ケース８の底から下方に延出し、この延出した箇所には、適宜方法によって図示しない排水管が取り付けられるように形成されている。また、この配水管取付部１１は、内部が中空状になっており、ケース８の内部と連通する孔部１１ａが形成されている。この孔部１１ａは、一方側と他方側とで内径が異なるように形成されている。すなわち、この孔部１１ａは、ケース８側（図２においては上側）の内径の方が、出口側（図２においては下側）の内径よりも大径となるように形成されている。これは、排水管取付部１１のケース８側には、排出管１０を挿入固定できるようにするためで、孔部１１ａを階段状にすることで、排出管１０を挿入する際に簡単に位置決めできるようになっている。
【００１７】
内装管９は、ケース８と排出管１０との間に位置し、内径が排出管１０の外径よりも大きく、かつ外径がケース８の内径よりも小さくなるように形成されており、排出管１０の上方から、排出管１０の外周面を所定の間隔を開けた状態で覆うように配置される。また、内装管９は、長さがケース８の高さよりも短くなるように形成されており、下端部９ａとケース８の底面８ａとが対向する箇所では所定間隔の隙間９ｂ（間隙部）が形成されている。
なお、内装管９は、下端部９ａと底面８ａとの間に隙間９ｂが形成されるように配置されればよく、例えば、このような配置は、蓋体６の裏面側に内装管９を一体成形したり、蓋体６とは別体の内装管９を蓋体６の裏面側に嵌め込んで一体化することで実現できる。
【００１８】
このように、内装管９が挿入されることによって、ケース８の内部には、ケース８の内側面と内装管９の外側面との間に第１空間部１２が形成され、内装管９の内側面と排出管１０の外側面との間に第２空間部１３が形成される。
【００１９】
第１空間部１２は、ケース８の内側面と内装管９の外側面との間に形成された空間であり、第１の液体を一時的に貯留する液体層１４が下部に位置づけられるとともに、第１の液体よりも比重が軽い液体からなる消臭層１５が液体層１４の上層に位置づけられている。この消臭層１５は、例えばアンモニアのような、第１の液体の臭い成分を分解するとともに、除菌性を有する液体（第２の液体）から構成されている。第２の液体は、適宜選択することが可能であるが、例えばオゾンガスを混合したオゾン化油であることが好ましく、さらには、オゾン化油に含まれるオゾンガスの気泡の直径が１μｍ未満のナノバブルにすることがより好ましい。以下、本明細書においては、消臭層１５にオゾン化油を用いた場合について説明する。
【００２０】
第２空間部１３は、内装管９の内側面と排出管１０の外側面との間に形成された空間である。この第２空間部１３は、隙間９ｂによって第１空間部１２と連通しており、第１空間部１２から流れ込んだ尿などの液体が一時的に貯留されている。第２空間部１３に貯留された液体は、第１空間部１２へ新たに尿などの液体が流れ込んだ場合に第２空間部１３内の液体の水位も共に上昇することで、排出管１０の上部開口から図示しない排水管へ流れ落ちるようになっている。
【００２１】
これら第１空間部１２と第２空間部１３は、ケース８を上方から見た場合には、排出管１０の外周側に第２空間部１３が形成され、第２空間部１３の周囲に内装管９が配置され、内装管９の外周側に第１空間部１２が形成されるというように、排出管１０を中心としてほぼ同心円状に広がるように形成されている。また、これら第１空間部１２と第２空間部１３は、ケース８の下部において、ケース８の底面８ａと内装管９の下端部９ａとの間の隙間９ｂで連通することによって尿の排水流路を形成している。
【００２２】
排出管１０は、一端部（図２においては上側）が斜めに切り落とされた円筒形状の配管であり、他端部（図２においては下側）が排水管取付部１１の孔部１１ａに嵌め込まれることによって、ケース８内に取付固定されている。また、排出管１０の周囲は、一端部から所定距離だけ離れた位置で内装管９と蓋体６が取り囲むように配置されている。
【００２３】
次に、本考案である非水洗型便器の作用について説明する。この非水洗型小便器１は、人が利用する前は、排出トラップ７の容器８内は、液体層１４と消臭層１５とが分離した状態を維持している。
【００２４】
この場合に、例えば人が用を足すことによって鉢部２や垂れ受け部３で受けた尿が底部３ａまで流れ落ち、排出口４から排出トラップ７へ流入すると、尿は、消臭層１５のオゾン化油よりも比重が大きくかつ溶解しないために消臭層１５を通過して液体層１４へ流れ落ちる。このとき、排出トラップ７は、新たに尿を受け止めたためにケース８内における水位が上昇し、第２空間部１３内においても水位が上昇する。このため、排出管１０の開口部には一時的に貯留されていた尿などの液体の一部が溢れ、排水管へ排出される。
このように、非水洗型小便器１は、人が用を足すなどして新たに排出トラップ７の内部へ尿などの液体が流入する毎に、その流入した分と略同量の尿などの液体が排水管へその都度排出される。
【００２５】
また、液体層１４に貯留されている尿などの液体の臭い成分は、消臭層１５のオゾン化油によって分解される。そのため、尿を液体層１４に貯留しておくことによる悪臭の発生などの問題も解消することができる。さらに、本実施の形態のオゾン化油には、オゾン化油に含まれるオゾンガスの気泡の直径が１μｍ未満のナノバブルに形成していることから、通常のオゾン化油にオゾンガスを混合した場合と比べて、長期間に渡ってオゾンガスを混合した状態を維持でき、消臭性も長期間に渡って維持することが可能になる。
【００２６】
また、この非水洗型小便器１の消臭層１５には除菌性に優れたオゾン化油を用いているから、時間の経過に伴って消臭層１５から切り欠き部６ｂを通過してケース８の外部へ徐々に放出されるオゾンガスにより、尿が流れ落ちることによって不衛生になりがちな鉢部２や垂れ受け部３の除菌をも行うことができる。
【００２７】
なお、本明細書における非水洗型小便器は、床面に取付固定する床置形小便器に限定されず、例えば壁掛形小便器などの各種小便器に用いてもよい。
【符号の説明】
【００２８】
１  非水洗型小便器（便器本体）
２  鉢部
３  垂れ受け部
４  排出口
７  排出トラップ
８  ケース
８ａ  底面
９  内装管（内装体）
９ａ  下端部
９ｂ  隙間（間隙部）
１０  排出管（排出路）
１２  第１空間部
１３  第２空間部
１４  液体層
１５  消臭層
【図１】
0003150343.tif 000003
【図２】
0003150343.tif 000004